(57)【要約】【課題】延長トレイが延出された使用状態にあるのか収納状態にあるのかを検知する専用センサを別途設けることなく、延長トレイ必要状態であることを把握することを課題とする。【解決手段】手差しトレイの載置面上における用紙搬送方向上流端部付近に用紙下面が接触又は近接しているか否かを検知する手差し用紙長センサ６４が検知していない状態で手差しトレイから搬送された用紙について、制御部７０は、その用紙長をレジストローラセンサ７１の検知タイミングから検知し、その検知結果が、手差しトレイ載置面上に載置された当該用紙の後端部分が載置面からはみ出す長さである場合、延長トレイ必要状態であると判断して、延長トレイを収納状態から使用状態へ切り替えるための警告報知を行う。【選択図】図６
2014177336.tif 000002
【特許請求の範囲】
【請求項１】
シート材を載置可能な載置面を備えたシート載置部と、
上記シート載置部のシート搬送方向上流側端部から延出して、該シート載置部の載置面からシート搬送方向上流側へはみ出したシート材後端部分を載置する延出状態と、該シート材後端部分を載置しない非延出状態とを切り替え可能な延長載置部と、
上記シート載置部に載置されているシート材を、所定の搬送経路を経由して所定の搬送先へ搬送するシート搬送手段とを備えたシート搬送装置において、
上記シート載置部の載置面上におけるシート搬送方向上流端部付近にシート材の下面が接触又は近接しているか否かを検知する第１シート長検知手段と、
上記シート搬送手段によって搬送されたシート材のシート搬送方向長さを検知する第２シート長検知手段と、
上記第１シート長検知手段が接触又は近接を検知していない状態で搬送されたシート材のシート搬送方向長さの上記第２シート長検知手段による検知結果が、上記シート載置部の載置面上に載置されたシート材の後端部分が該載置面のシート搬送方向上流側へはみ出す長さである場合、延長載置部必要状態であると判断して、上記延長載置部を上記非延出状態から上記延出状態へ切り替えるように促す警告を報知する報知処理を実行する報知処理手段とを有することを特徴とするシート搬送装置。
【請求項２】
請求項１のシート搬送装置において、
上記第１シート長検知手段は、上記シート載置部の載置面上におけるシート搬送方向上流端部付近で該載置面上に進退可能に突出する突出部と、該突出部が載置面下に向けて押し下げられたか否かを検知する押下検知部とから構成されていることを特徴とするシート搬送装置。
【請求項３】
請求項１又は２のシート搬送装置において、
上記第２シート長検知手段は、上記搬送経路上の１箇所又は２箇所以上でシート材の先端又は後端の通過を検知する通過検知部と、該通過検知部が通過を検知したタイミングに基づいて該搬送経路を搬送されているシート材のシート搬送方向長さを算出するシート長算出部とから構成されていることを特徴とするシート搬送装置。
【請求項４】
請求項１乃至３のいずれか１項に記載のシート搬送装置において、
上記シート載置部の載置面上に載置されたシート材のシート搬送方向に対して直交するシート幅方向の長さを検知するシート幅検知手段と、
上記第１シート長検知手段の検知結果と上記シート幅検知手段の検知結果とから、上記シート載置部の載置面上に載置されているシート材のサイズが、予め決められた複数種類のサイズのいずれのサイズであるかを判別するシートサイズ判別手段とを有し、
上記報知処理手段は、上記第２シート長検知手段により検知したシート材のシート搬送方向長さが、上記シートサイズ判別手段が判別したサイズのシート搬送方向長さよりも長い場合に、上記延長載置部必要状態であると判断することを特徴とするシート搬送装置。
【請求項５】
請求項１乃至４のいずれか１項に記載のシート搬送装置において、
上記報知処理手段は、連続して搬送される複数のシート材について上記延長載置部必要状態であることを判断することを条件に、上記報知処理を実行することを特徴とするシート搬送装置。
【請求項６】
請求項１乃至５のいずれか１項に記載のシート搬送装置において、
上記報知処理手段は、上記延長載置部必要状態であることが連続して判断されるシート材の枚数が規定枚数に達することを条件に、上記報知処理を実行するものであり、
所定の設定条件に従って、上記規定枚数を変更する規定枚数変更手段を有することを特徴とするシート搬送装置。
【請求項７】
請求項１乃至６のいずれか１項に記載のシート搬送装置において、
上記報知処理手段が実行する報知処理は、上記延長載置部を上記非延出状態から上記延出状態へ切り替えるように促す警告画面を表示手段に表示させる処理及び音出力手段から警告音を出力する処理の少なくとも一方であることを特徴とするシート搬送装置。
【請求項８】
シート搬送装置によって搬送されるシート材に画像を形成する画像形成装置において、
上記シート搬送装置として、請求項１乃至７のいずれか１項に記載のシート搬送装置を用いたことを特徴とする画像形成装置。
【請求項９】
シート搬送装置によって搬送されるシート材上の画像を読み取る画像読取装置において、
上記シート搬送装置として、請求項１乃至７のいずれか１項に記載のシート搬送装置を用いたことを特徴とする画像読取装置。
【発明の詳細な説明】
【技術分野】
【０００１】
本発明は、シート載置部の載置面上に載置されたシート材を所定の搬送先へ搬送するシート搬送装置、並びに、これを備えた画像形成装置及び画像読取装置に関するものである。
【背景技術】
【０００２】
特許文献１では、手差し台（シート載置部）上にセットされた用紙（シート材）を手差し台から画像形成部へと搬送する手差し給紙装置（シート搬送装置）が開示されている。この手差し給紙装置には、最大サイズ用紙の搬送方向長さの半分以上の長さをもった用紙が手差し台にセットされたときに当該用紙に対向し、かつ、最大サイズ用紙の搬送方向長さの半分未満の長さをもった用紙が手差し台にセットされたときには当該用紙に対向しない手差し台上の位置に、用紙の有無を検知する反射型フォトセンサからなる長さ検知センサが設けられている。例えば最大サイズ用紙の搬送方向長さがＡ３縦サイズである場合、Ａ４横サイズやＢ５横サイズの用紙が手差し台上にセットされたとき、その用紙は長さ検知センサによって検知されない。一方、用紙搬送方向長さがＡ３横サイズ、Ａ４縦サイズ、Ｂ５縦サイズである用紙が手差し台上にセットされたときには、その用紙が長さ検知センサによって検知しない。
【０００３】
上記特許文献１に記載の手差し給紙装置においては、長さ検知センサの検知結果を利用することで、手差し台上にセットされた用紙のサイズが、予め決められた定型サイズのいずれであるかを絞り込むことができる。特に、この手差し給紙装置では、手差し台上にセットされた用紙の幅方向両端に接触するサイドフェンスの位置によって、当該用紙の幅方向長さを検知する横サイズセンサも設けられている。この横サイズセンサの検知結果と上記長さ検知センサの検知結果とを組み合わせることで、手差し台上にセットされた用紙のサイズが予め決められた定型サイズのいずれであるかを特定することができる。
【発明の概要】
【発明が解決しようとする課題】
【０００４】
上記特許文献１に記載の手差し給紙装置において、上記長さ検知センサは、手差し台上における用紙搬送方向上流端部付近で用紙の有無を検知する。そのため、上記長さ検知センサによって用紙が検知されるほどシート搬送方向長さの長い用紙が手差し台にセットされた場合、その用紙の後端部分は、手差し台の用紙搬送方向上流端部からはみ出して垂れ下がるような状態になる。このような状態で手差し台上に用紙がセットされると、手差し台から用紙が落ちてしまうおそれがあるという不具合が生じる。また、用紙の後端部分が後方へ引っ張られることから、用紙先端位置がずれて不送りジャムを引き起こしたり、用紙の搬送負荷が高まって不送りジャムやスキューなどの搬送不良を引き起こしたりするような不具合も生じる。
【０００５】
そのため、従来の画像形成装置の多くは、手差し台等のシート載置部のシート搬送方向上流側端部から延出して、そのシート載置部の載置面からシート搬送方向上流側へはみ出したシート材後端部分を載置する延長載置部が設けられている。この延長載置部は、載置面からはみ出したシート材後端部分を載置する延出状態と、そのシート材後端部分を載置しない非延出状態とに切り替え可能な構成となっている。そのため、載置面からシート材後端部分がはみ出さないサイズのシート材をシート載置部に載置する場合には、延長載置部を非延出状態とし、載置面からシート材後端部分がはみ出すサイズのシート材をシート載置部に載置する場合に、その延長載置部を延出状態にして使用する。
【０００６】
載置面からシート材後端部分がはみ出すシート長の長いシート材をシート載置部に載置する場合、延長載置部を延出状態にして使用すれば、シート材の後端部分が垂れ下がるような状態にはならないので、上述した不具合は発生しない。しかしながら、画像形成装置の実際の使用状況においては、載置面からシート材後端部分がはみ出すシート長の長いシート材をシート載置部に載置しているにもかかわらず、延長載置部を延出状態にせず、延長載置部を非延出状態のまま使用するケースが見受けられる。そのため、上述した不具合はしばしば引き起こされる。
【０００７】
ここで、シート載置部に上記特許文献１に開示されているような長さ検知センサ等のシート長検知手段が設置されていれば、シート材後端部分が載置面からはみ出して垂れ下がるほど用紙長の長い用紙がシート載置部にセットされたときに、これを検知することが可能である。したがって、このシート長検知手段が用紙長の長い用紙を検知したときに、例えば、ユーザーに対し、延長載置部を延出状態とするように促すような報知を行うことが可能となる。これにより、このような報知を受けたユーザーに、延長載置部を延出状態にしていないことを気付かせることができるので、延長載置部が非延出状態のまま使用されて上述した不具合が発生してしまうことを抑制することが可能である。
【０００８】
ところが、この場合、延長載置部を延出状態にして使用しているユーザーに対しても、延長載置部を延出状態とするように促すような不要な報知が行われてしまう。延長載置部が延出状態にあるのか非延出状態にあるのかを検知する専用センサを別途設けて上記不要な報知を回避することも考えられるが、専用センサの追加が製造コストを高騰させる要因となる。
【０００９】
本発明は、以上の背景に鑑みなされたものであり、その目的とするところは、延長載置部が延出状態にあるのか非延出状態にあるのかを検知する専用センサを別途設けることなく、延長載置部必要状態であることをユーザーに知らせることが可能なシート搬送装置並びにこれを備えた画像形成装置及び画像読取装置を提供することである。
【課題を解決するための手段】
【００１０】
上記目的を達成するために、本発明においては、シート材を載置可能な載置面を備えたシート載置部と、上記シート載置部のシート搬送方向上流側端部から延出して、該シート載置部の載置面からシート搬送方向上流側へはみ出したシート材後端部分を載置する延出状態と、該シート材後端部分を載置しない非延出状態とを切り替え可能な延長載置部と、上記シート載置部に載置されているシート材を、所定の搬送経路を経由して所定の搬送先へ搬送するシート搬送手段とを備えたシート搬送装置において、上記シート載置部の載置面上におけるシート搬送方向上流端部付近にシート材の下面が接触又は近接しているか否かを検知する第１シート長検知手段と、上記シート搬送手段によって搬送されたシート材のシート搬送方向長さを検知する第２シート長検知手段と、上記第１シート長検知手段が接触又は近接を検知していない状態で搬送されたシート材のシート搬送方向長さの上記第２シート長検知手段による検知結果が、上記シート載置部の載置面上に載置されたシート材の後端部分が該載置面のシート搬送方向上流側へはみ出す長さである場合、延長載置部必要状態であると判断して、上記延長載置部を上記非延出状態から上記延出状態へ切り替えるように促す警告を報知する報知処理を実行する報知処理手段とを有することを特徴とする。
【００１１】
本発明においては、第１シート長検知手段の検知結果から、シート載置部にセットされたシート材の搬送方向長さが、当該第１シート長検知手段の検知位置よりも短いものであるか、長いものであるかを、判別することができる。ただし、この第１シート長検知手段は、シート載置部の載置面上におけるシート搬送方向上流端部付近にシート材の下面が接触又は近接しているか否かを検知するものである。そのため、シート材後端部分が載置面からはみ出して垂れ下がっている場合、そのシート材のコシ等の影響で、載置面のシート搬送方向上流端部付近のシート材部分が載置面から浮き上がってしまう。この場合、上記のような第１シート長検知手段では、シート材の下面が接触又は近接していないと検知する。したがって、第１シート長検知手段が接触又は近接を検知していない場合、セットされているシート材が当該第１シート長検知手段の検知位置よりも短いものであるか、もしくは、シート材後端部分が載置面からはみ出すほどシート長の長いシート材がセットされているが延長載置部が非延出状態のままであるか、のいずれかである。
【００１２】
ここで、本発明では、第２シート長検知手段により、シート搬送手段によって搬送されたシート材のシート搬送方向長さを検知することができる。したがって、上記第２シート長検知手段の検知結果から、シート載置部から搬送されたシート材のシート搬送方向長さが、シート載置部の載置面上に載置されたシート材の後端部分が載置面からはみ出す長さであるか否かを判別することができる。そこで、本発明においては、この第２シート長検知手段の検知結果を利用し、第１シート長検知手段が接触又は近接を検知していない状態で搬送されたシート材のシート搬送方向長さが、シート載置部の載置面上に載置されたシート材の後端部分が載置面からはみ出す長さである場合、延長載置部必要状態であると判断する。
【００１３】
このように、本発明においては、載置面からシート材後端部分がはみ出すシート長の長いシート材がシート載置部にセットされているにもかかわらず、延長載置部が延出状態になっていない延長載置部必要状態であることを、第１シート長検知手段及び第２シート長検知手段の検知結果から適切に判断することができる。よって、延長載置部必要状態であることをユーザーに適切に知らせることができる。しかも、第１シート長検知手段及び第２シート長検知手段は、既存のシート搬送装置に設けられているセンサを利用して構成することができるので、延長載置部が延出状態にあるのか非延出状態にあるのかを検知する専用センサを別途設ける必要はない。
【発明の効果】
【００１４】
以上、本発明によれば、延長載置部が延出状態にあるのか非延出状態にあるのかを検知する専用センサを別途設けることなく、延長載置部必要状態であることをユーザーに知らせることができるという優れた効果が得られる。
【図面の簡単な説明】
【００１５】
【図１】実施形態に係る複写機を示す概略構成図である。
【図２】同複写機における画像形成部の一部を拡大して示す部分構成図である。
【図３】同画像形成部における４つのプロセスユニットからなるタンデム部の一部を示す部分拡大図である。
【図４】同複写機の画像読取ユニットの斜視説明図である。
【図５】同複写機の手差しトレイの斜視図である。
【図６】同複写機における主要な制御系を示す制御ブロック図である。
【図７】手差し用紙長センサに検知されない用紙（Ａ４横サイズ）が手差しトレイにセットされたときの様子を示す説明図である。
【図８】手差し用紙長センサに検知される用紙（Ａ３縦サイズ）が手差しトレイにセットされたときの様子を示す説明図である。
【図９】手差しトレイから延長トレイが引き出されて延長トレイが使用状態にあるときの斜視図である。
【図１０】延長トレイが使用状態でない収納状態であるときに、用紙長の長い用紙（Ａ３縦サイズ）が手差しトレイにセットされたときの様子を示す説明図である。
【図１１】図１０に示す状態のときの手差しトレイを用紙幅方向から見たときの説明図である。
【発明を実施するための形態】
【００１６】
以下、本発明を、画像形成装置としての電子写真方式の複写機５００に適用した実施形態について説明する。
まず、本実施形態に係る複写機５００の基本的な構成について説明する。
図１は、複写機５００を示す概略構成図である。
複写機５００は、画像形成手段としての画像形成部１と、給紙装置４０と、画像読取ユニット５０と、シート材載置部としての手差しトレイ６０とを備えている。画像読取装置としての画像読取ユニット５０は、画像形成部１の上に固定されたスキャナ１５０と、これに支持される原稿自動搬送装置（以下「ＡＤＦ」という。）５１とを有している。
【００１７】
給紙装置４０は、ペーパーバンク４１内に多段に配設されたシート材積載部としての２つの給紙カセット４２、給紙カセット４２からシート材としての用紙Ｐを送り出すシート送出回転体であるピックアップローラ４３、送り出された用紙Ｐを分離して給紙路４４へ給送する分離給送手段４５等を有している。また、画像形成部１の搬送路としての本体側給紙路３７に用紙Ｐを搬送する複数の搬送ローラ対４６等も有している。そして、給紙カセット４２内の用紙Ｐは、画像形成部１内の本体側給紙路３７内に給紙され、レジストローラ対３３へ送られる。
【００１８】
また、手差しトレイ６０にセットされたシート材としての用紙Ｐは、ピックアップローラ６１によってシート搬送方向下流側へ送り出され、分離給送手段６２によって用紙Ｐを１枚だけ分離される。そして、画像形成部１内の本体側給紙路３７内に給紙され、レジストローラ対３３へ送られる。なお、ピックアップローラ６１や分離給送手段６２の構成や動作は、給紙装置４０のピックアップローラ４３や分離給送手段４５と同様である。
【００１９】
画像形成部１は、潜像形成手段としての光書込装置２や、黒、イエロー、マゼンタ、シアン（Ｋ、Ｙ、Ｍ、Ｃ）のトナー像を形成する４つのプロセスユニット３Ｋ，Ｙ，Ｍ，Ｃ、転写ユニット２４、紙搬送ユニット２８、レジストローラ対３３、定着装置３４、スイッチバック装置３６、本体側給紙路３７等を備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００２０】
図２は、画像形成部１の内部構成の一部を拡大して示す部分構成図である。また、図３は、４つのプロセスユニット３Ｋ，Ｙ，Ｍ，Ｃからなるタンデム部の一部を示す部分拡大図である。４つのプロセスユニット３Ｋ，Ｙ，Ｍ，Ｃは、それぞれ使用するトナーの色が異なる他はほぼ同様の構成になっているので、図３においては各符号に付すＫ、Ｙ、Ｍ、Ｃという添字を省略している。
【００２１】
プロセスユニット３Ｋ，Ｙ，Ｍ，Ｃは、それぞれ、感光体４とその周囲に配設される各種装置とを１つのユニットとして共通の支持体に支持するものであり、複写機５００本体の画像形成部１に対して着脱可能になっている。一つのプロセスユニット３は、感光体４の周りに、帯電装置５、現像装置６、ドラムクリーニング装置１５、除電ランプ２２等を有している。複写機５００では、４つのプロセスユニット３Ｋ，Ｙ，Ｍ，Ｃを、後述する中間転写ベルト２５に対してその無端移動方向に沿って並べるように対向配設した、いわゆるタンデム型の構成になっている。
【００２２】
感光体４としては、アルミニウム等の素管に、感光性を有する有機感光材の塗布による感光層を形成したドラム状のものを用いている。但し、無端ベルト状のものを用いても良い。
【００２３】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２４】
攪拌部７は、現像部１１よりも低い位置に設けられており、互いに平行配設された２本の搬送スクリュ８、これら２本の搬送スクリュ８間に設けられた仕切り板、現像ケース９の底面に設けられたトナー濃度センサ１０などを有している。
【００２５】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置から現像スリーブ１２の回転方向に向けて順次並ぶ複数の磁極を有している。これら磁極は、それぞれ現像スリーブ１２上の二成分現像剤に対して回転方向の所定位置で磁力を作用させる。これにより、攪拌部７から送られてくる二成分現像剤を現像スリーブ１２表面に引き寄せて担持させるとともに、現像スリーブ１２表面上で磁力線に沿った磁気ブラシを形成する。
【００２６】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、磁気ブラシを形成し、現像スリーブ１２に担持され現像領域を通過した二成分現像剤は、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。現像装置６としては、二成分現像剤を用いるものの代わりに、磁性キャリアを含まない一成分現像剤を用いるものを採用してもよい。
【００２７】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュ２０上に落下する。回収スクリュ２０は、回収トナーをドラムクリーニング装置１５における図紙面と直交する方向の端部に向けて搬送して、外部のリサイクル搬送装置２１に受け渡す。リサイクル搬送装置２１は、受け渡された回収トナーを現像装置６に送ってリサイクルする。
【００２８】
除電ランプ２２は、光照射によって感光体４の表面を除電する。除電された感光体４の表面は、帯電装置５によって一様に帯電せしめられた後、光書込装置２による光書込処理がなされる。複写機５００では、帯電装置５として帯電バイアスが印加される帯電ローラを感光体４に当接させながら回転させるものを用いているが、感光体４に対して非接触で帯電処理を行うスコロトロンチャージャ等を用いてもよい。
【００２９】
先に示した図２において、４つのプロセスユニット３Ｋ，Ｙ，Ｍ，Ｃの感光体４Ｋ，Ｙ，Ｍ，Ｃには、これまで説明してきたプロセスによってＫ、Ｙ、Ｍ、Ｃトナー像が形成される。
【００３０】
４つのプロセスユニット３Ｋ，Ｙ，Ｍ，Ｃの下方には、転写ユニット２４が配設されている。転写ユニット２４は、複数のローラによって張架した中間転写ベルト２５を、感光体４Ｋ，Ｙ，Ｍ，Ｃに当接させながら図中時計回り方向に無端移動させる。これにより、感光体４Ｋ，Ｙ，Ｍ，Ｃと、中間転写ベルト２５とが当接するＫ、Ｙ、Ｍ、Ｃ用の一次転写ニップが形成されている。Ｋ、Ｙ、Ｍ、Ｃ用の一次転写ニップの近傍では、ベルトループ内側に配設された一次転写ローラ２６Ｋ，Ｙ，Ｍ，Ｃによって中間転写ベルト２５を感光体４Ｋ，Ｙ，Ｍ，Ｃに向けて押圧している。これら一次転写ローラ２６Ｋ，Ｙ，Ｍ，Ｃには、それぞれ図示しない電源によって一次転写バイアスが印加されている。これにより、Ｋ、Ｙ、Ｍ、Ｃ用の一次転写ニップには、感光体４Ｋ，Ｙ，Ｍ，Ｃ上のトナー像を中間転写ベルト２５に向けて静電移動させる一次転写電界が形成されている。図中時計回り方向の無端移動に伴ってＫ、Ｙ、Ｍ、Ｃ用の一次転写ニップを順次通過していく中間転写ベルト２５のおもて面には、各一次転写ニップでトナー像が順次重ね合わせて一次転写される。この重ね合わせの一次転写により、中間転写ベルト２５のおもて面には４色重ね合わせトナー像（以下「４色トナー像」という。）が形成される。
【００３１】
転写ユニット２４の図中下方には、駆動ローラ３０と二次転写ローラ３１との間に、無端状の紙搬送ベルト２９を掛け渡して無端移動させる紙搬送ユニット２８が設けられている。そして、二次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する二次転写ニップが形成されている。二次転写ローラ３１には図示しない電源によって二次転写バイアスが印加されている。一方、転写ユニット２４の下部張架ローラ２７は接地されている。これにより、二次転写ニップに二次転写電界が形成されている。
【００３２】
この二次転写ニップの図中右側方には、レジストローラ対３３が配設されている。また、レジストローラ対３３のレジストニップの入口付近には、図示しないレジストローラセンサが配設されている。給紙装置４０や手差しトレイ６０からレジストローラ対３３に向けて搬送されてくる用紙Ｐは、その先端が不図示のレジストローラセンサに検知された所定時間後に用紙Ｐの搬送が一時停止し、レジストローラ対３３のレジストニップに先端を突き当てる。この結果、用紙Ｐの姿勢が修正され、画像形成との同期をとる準備が整う。
【００３３】
用紙Ｐの先端がレジストニップに突き当たると、レジストローラ対３３は、用紙Ｐを中間転写ベルト２５上の４色トナー像に同期させ得るタイミングでローラ回転駆動を再開して、用紙Ｐを二次転写ニップに送り出す。二次転写ニップ内では、中間転写ベルト２５上の４色トナー像が二次転写電界やニップ圧の影響によって用紙Ｐに一括二次転写され、用紙Ｐの白色と相まってフルカラー画像となる。二次転写ニップを通過した用紙Ｐは、中間転写ベルト２５から離間して、紙搬送ベルト２９のおもて面に保持されながら、その無端移動に伴って定着装置３４へと搬送される。
【００３４】
二次転写ニップを通過した中間転写ベルト２５のおもて面には、二次転写ニップで用紙Ｐに転写されなかった転写残トナーが付着している。この転写残トナーは、クリーニング部材が中間転写ベルト２５に当接するベルトクリーニング装置３２によって掻き取り除去される。
【００３５】
定着装置３４に搬送された用紙Ｐは、定着装置３４内における加圧や加熱によってフルカラー画像が定着させしめられた後、定着装置３４から排紙ローラ対３５に送られた後、機外の排紙トレイ５０１へと排出される。
【００３６】
先に示した図１において、紙搬送ユニット２８および定着装置３４の下には、用紙反転装置であるスイッチバック装置３６が配設されている。これにより、両面プリントを行う場合には、片面に対する画像定着処理を終えた用紙Ｐの搬送経路が、切換爪によってスイッチバック装置３６側に切り換えられ、そこで用紙Ｐは反転されて再び二次転写ニップに進入する。そして、用紙Ｐのもう片面にも画像の二次転写処理と定着処理とが施された後、排紙トレイ５０１上に排紙される。
【００３７】
画像形成部１の上に固定されたスキャナ１５０やこれの上に固定されたＡＤＦ５１からなる画像読取ユニット５０は、後述する２つの固定読取部や移動読取部１５２を有している。移動読取部１５２は、原稿ＭＳに接触するようにスキャナ１５０のケーシング上壁に固定された第二コンタクトガラス１５５の直下に配設されており、光源や、反射ミラーなどからなる光学系を図中左右方向に移動させることができる。そして、光学系を図中左側から右側に移動させていく過程で、光源から発した光を第二コンタクトガラス１５５上に載置された原稿ＭＳの下面で反射させた後、複数の反射ミラーを経由させて、スキャナ１５０に固定された画像読取センサ１５３で受光する。
【００３８】
一方、画像読取ユニット５０は固定読取部として、スキャナ１５０の内部に配設された第一固定読取部１５１と、ＡＤＦ５１内に配設された後述する第二固定読取部９５とを有している。光源、反射ミラー、ＣＣＤ等の画像読取センサなどを有する第一固定読取部１５１は、原稿ＭＳに接触するようにスキャナ１５０のケーシング上壁に固定された第一コンタクトガラス１５４の直下に配設されている。そして、ＡＤＦ５１によって搬送される原稿ＭＳが第一コンタクトガラス１５４上を通過する際に、光源から発した光を原稿ＭＳの第一面で順次反射させながら、複数の反射ミラーを経由させて画像読取センサ１５３で受光する。これにより、光源や反射ミラー等からなる光学系を移動させることなく、原稿ＭＳの第一面を走査する。また、第二固定読取部９５は、第一固定読取部１５１を通過した後の原稿ＭＳの第二面を走査する。
【００３９】
スキャナ１５０の上に配設されたＡＤＦ５１は、本体カバー５２に、読取前の原稿ＭＳを載置するための原稿載置台５３、シート材としての原稿ＭＳを搬送するための原稿搬送部５４、読取後の原稿ＭＳをスタックするための原稿スタック台５５などを保持している。
【００４０】
図４は、画像読取ユニット５０の斜視説明図である。
図４に示すように、スキャナ１５０に固定された蝶番１５９によって上下方向に揺動可能に支持されている。そして、その揺動によって開閉扉のような動きをとり、開かれた状態でスキャナ１５０の上面の第一コンタクトガラス１５４や第二コンタクトガラス１５５を露出させる。原稿束の片隅を綴じた本などの片綴じ原稿の場合には、原稿を１枚ずつ分離することができないため、ＡＤＦ５１による搬送を行うことができない。そこで、片綴じ原稿の場合には、ＡＤＦ５１を図４に示すように開いた後、読み取らせたいページが見開かれた片綴じ原稿を下向きにして第二コンタクトガラス１５５上に載せた後、ＡＤＦ５１を閉じる。そして、スキャナ１５０の図１に示した移動読取部１５２によってそのページの画像を読み取らせる。
【００４１】
一方、互いに独立したシート材である複数の原稿ＭＳを単に積み重ねた原稿束の場合には、その原稿ＭＳをＡＤＦ５１によって１枚ずつ自動搬送しながら、スキャナ１５０内の第一固定読取部１５１やＡＤＦ５１内の第二固定読取部９５に順次読み取らせていくことができる。この場合、シート載置部としての原稿載置台５３上に原稿束をセットした後、操作パネル１０８のコピースタートボタン１５８を押す。すると、ＡＤＦ５１が、原稿載置台５３上に載置された原稿束の原稿ＭＳを上から順に原稿搬送部５４内に送り、それを反転させながら原稿スタック台５５に向けて搬送する。この搬送の過程で、原稿ＭＳを反転させた直後にスキャナ１５０の第一固定読取部１５１の真上に通す。このとき、原稿ＭＳの第一面の画像がスキャナ１５０の第一固定読取部１５１によって読み取られる。
【００４２】
次に、本実施形態における手差しトレイ６０の構成について説明する。
図５は、本実施形態における手差しトレイ６０の斜視図である。
本実施形態における手差しトレイ６０は、図５中符号Ｂで示す回転軸を中心に、図５中矢印Ａの方向へ回動させることで、複写機５００に収納することができる。手差しトレイ６０が収納状態にあるときには、手差しトレイ６０が複写機５００の外壁面から大きく突出しない状態となるので、複写機５００周囲のユーザーの邪魔にならない。一方、ユーザーが手差しトレイ６０に用紙Ｐをセットしてプリントする場合には、収納状態にある手差しトレイ６０を図５中符号Ｂで示す回転軸を中心に図５中矢印Ａとは逆方向へ回動させることで、図５に示すような使用状態とする。そして、使用状態の手差しトレイ６０の載置面６０ａの上に、使用する用紙Ｐを載せ、その用紙Ｐの先端が所定位置に位置決めされるように、用紙Ｐを載置面６０ａ上にセットする。
【００４３】
本実施形態の手差しトレイ６０には、載置面６０ａ上に載置されている用紙Ｐの搬送方向に対して直交する幅方向両端部の位置を規制する用紙幅方向規制部材としての２つのサイドフェンス６３Ａ，６３Ｂが設けられている。２つのサイドフェンス６３Ａ，６３Ｂは、用紙幅方向に延びるスライド溝６６に沿って、互いに連動してスライド移動可能に構成されている。具体的には、載置面６０ａの用紙幅方向略中央に設定されている所定の用紙幅方向基準位置に対し、２つのサイドフェンス６３Ａ，６３Ｂが互いに同期して同距離だけ反対方向に移動するように構成されている。したがって、使用する用紙Ｐを載置面６０ａ上に載せた後に、２つのサイドフェンス６３Ａ，６３Ｂが用紙Ｐの幅方向両端に接触するようにサイドフェンス６３Ａ，６３Ｂを移動させることで、いずれの幅方向サイズをもった用紙Ｐでも、その幅方向中心位置を所定の用紙幅方向基準位置に位置決めすることができる。
【００４４】
２つのサイドフェンス６３Ａ，６３Ｂの少なくとも一方の位置（用紙幅方向位置）は、図示しない用紙幅検知手段によって検知される。このようなサイドフェンス６３Ａ，６３Ｂの位置から用紙幅を検知する用紙幅検知手段は、広く公知のものを利用することができる。
【００４５】
また、本実施形態の手差しトレイ６０には、載置面６０ａ上に載置されている用紙Ｐの搬送方向長さ（以下「用紙長」という。）を検知する第１シート長検知手段としての手差し用紙長センサ６４が設けられている。この手差し用紙長センサ６４は、用紙１枚程度が載るだけで押し下げられる程度のメカニカルスイッチで構成されている。具体的には、手差しトレイ６０の載置面６０ａ上におけるシート搬送方向上流端部付近で載置面６０ａ上に進退可能に突出する突出部と、その突出部が載置面下に向けて押し下げられたか否かを検知する押下検知部とから構成されている。これにより、手差し用紙長センサ６４は、手差しトレイ６０の載置面６０ａ上におけるシート搬送方向上流端部付近に用紙Ｐの下面が接触又は近接しているか否かを検知することができる。したがって、手差し用紙長センサ６４の検知結果から、手差しトレイ６０にセットされた用紙Ｐの用紙長が、手差し用紙長センサ６４の突出部の位置よりも短いものであるか、長いものであるかを判別することができる。
【００４６】
図６は、本実施形態における主要な制御系を示す制御ブロック図である。
上述した２つのサイドフェンス６３Ａ，６３Ｂの用紙幅方向位置を検知する用紙幅センサ６９の検知結果や、手差し用紙長センサ６４の検知結果は、制御部７０へ送られる。そして、制御部７０は、これらの検知結果から、手差しトレイ６０にセットされている用紙Ｐのサイズ（用紙長、用紙幅）が、予め決められた複数種類の規定サイズのいずれのサイズであるかを判別するシートサイズ判別手段として機能する。すなわち、制御部は、用紙幅センサ６９の検知結果から用紙Ｐの用紙幅を検出し、手差し用紙長センサ６４の検知結果から用紙Ｐの用紙長が手差し用紙長センサ６４の突出部位置よりも短いものであるか長いものであるかを判別し、これらから、当該用紙Ｐのサイズを判別する。
【００４７】
例えば、手差し用紙長センサ６４の突出部位置が、手差しトレイ６０にＡ４横サイズの用紙がセットされたときにその用紙の後端が達しない位置に設定されている場合、図７に示すようにＡ４横サイズの用紙Ｐ１がセットされた場合、手差し用紙長センサ６４はこれを検知しない。手差し用紙長センサ６４が検知しないときには、セットされている用紙が、Ａ４横サイズ、Ｂ５横サイズのいずれかのサイズであると絞り込むことができる。そして、用紙幅センサ６９が検知した用紙幅から、セットされている用紙が、Ａ４横サイズ、Ｂ５横サイズのいずれであるかを特定することができる。したがって、図７に示す例では、これをＡ４横サイズの用紙であると適切に特定できる。
【００４８】
一方、図８に示すようにＡ３縦サイズの用紙Ｐ２がセットされた場合、その用紙Ｐによって手差し用紙長センサ６４の突出部が押し下げられ、手差し用紙長センサ６４はこれを検知する。手差し用紙長センサ６４が用紙を検知しているとき、セットされている用紙は、Ａ３縦サイズ、Ａ４縦サイズ、Ｂ５縦サイズのいずれかのサイズであると絞り込むことができる。そして、用紙幅センサ６９が検知した用紙幅から、セットされている用紙が、Ａ３縦サイズ、Ａ４縦サイズ、Ｂ５縦サイズのいずれであるかを特定することができる。したがって、図８に示す例では、これをＡ３縦サイズの用紙であると適切に特定できる。
【００４９】
本実施形態においては、手差しトレイ６０の用紙搬送方向上流側端部から延出して、その載置面６０ａからシート搬送方向上流側へはみ出した用紙後端部分を載置する延長載置部としての延長トレイ６５が設けられている。この延長トレイ６５は、手差しトレイ６０に対して用紙搬送方向に沿ってスライド可能に取り付けられている。載置面６０ａから用紙後端部分がはみ出さない用紙長の短い用紙Ｐ１を手差しトレイ６０にセットする場合には、図５に示すように、その延長トレイ６５は手差しトレイ６０の内部に収容した収納状態（非延出状態）にして用いる。一方、載置面６０ａから用紙後端部分がはみ出すほど用紙長の長い用紙Ｐ２を手差しトレイ６０にセットする場合には、図９に示すように、その延長トレイ６５を手差しトレイ６０の外部へ引き出し、載置面６０ａからはみ出した用紙後端部分を載置する使用状態（延出状態）にして用いる。
【００５０】
ここで、用紙長の長い用紙Ｐ２を手差しトレイ６０にセットする場合に、ユーザーが延長トレイ６５を引き出して使用状態にして用いれば、その用紙Ｐ２の後端部分が図１０に示すように垂れ下がるような状態にはならない。しかしながら、画像形成装置の実際の使用状況においては、このような用紙長の長い用紙Ｐ２が手差しトレイ６０にセットされているにもかかわらず、延長トレイ６５を使用状態にせず、延長トレイ６５を収納状態のまま用いるケースが見受けられる。そのため、用紙後端部分が垂れ下がった状態であることにより、用紙Ｐ２が手差しトレイ６０から落ちてしまったり、用紙Ｐ２が後方へ引っ張られることから用紙先端位置がずれて不送りジャムを引き起こしたり、用紙の搬送負荷が高まって不送りジャムやスキューなどの搬送不良を引き起こしたりする不具合が生じ得る。
【００５１】
そこで、本実施形態においては、用紙長の長い用紙Ｐ２が手差しトレイ６０にセットされているにもかかわらず、延長トレイ６５が収納状態のままである延長トレイ必要状態（延長載置部必要状態）を、以下のように検出している。そして、その延長トレイ必要状態が検出されたときには、ユーザーに対して延長トレイ６５を引き出して使用状態に切り替えるように促す警告を報知する。
【００５２】
本実施形態において、用紙後端部分が載置面６０ａからはみ出して垂れ下がっている場合、図１１に示すように、載置面６０ａの用紙搬送方向上流端部付近の用紙部分が載置面６０ａから浮き上がる。そのため、手差し用紙長センサ６４の突出部がその用紙部分によって押し下げられず、手差し用紙長センサ６４は用紙を検知しない。したがって、本実施形態において、制御部７０は、手差し用紙長センサ６４が用紙を検知していないことにより、セットされている用紙が手差し用紙長センサ６４の突出部位置よりも短い用紙長のものであるか、もしくは、手差し用紙長センサ６４の突出部位置よりも長い用紙長のものであるが、延長トレイ６５が収納状態のままである延長トレイ必要状態であるか、のいずれかであることを特定することができる。
【００５３】
一方、本実施形態の制御部７０は、レジストローラセンサ７１とともに、第２シート長検知手段を構成し、手差しトレイ６０から搬送された用紙Ｐの用紙長を検知する。レジストローラセンサ７１は、レジストローラ対３３のレジストニップの入口付近に設置されており、用紙Ｐの有無に応じた検出信号を出力する。このレジストローラセンサ７１の検出信号は、上述したように、用紙Ｐの先端をレジストローラ対３３のレジストニップに突き当てて適切に一時停止させるための利用されている。本実施形態では、このレジストローラセンサ７１の検出信号を利用し、レジストローラセンサ７１が用紙先端の通過を検知した先端通過タイミングと、レジストローラセンサ７１が用紙後端の通過を検知した後端通過タイミングとから、レジストローラセンサ７１を通過する用紙Ｐの用紙長を算出する。この算出には、用紙Ｐの搬送速度や用紙Ｐの一時停止期間などの情報が必要であるが、これらの情報は制御部７０によって保持されている。したがって、制御部７０は、レジストローラセンサ７１の検出信号から、用紙Ｐの用紙長を特定することができる。
【００５４】
一方、本実施形態の制御部７０は、上述したように、手差し用紙長センサ６４の検出結果と、用紙幅センサ６９の検知結果とから、手差しトレイ６０にセットされている用紙Ｐのサイズが予め決められた複数種類の規定サイズ（Ａ３縦、Ａ４横、Ａ４縦、Ｂ５横、Ｂ５縦）のいずれのサイズであるかを判別する。このとき、例えばＡ３縦の用紙Ｐ２が手差しトレイ６０にセットされている場合、延長トレイ６５が収納状態のままであると、上述したように、手差しトレイ６０の載置面６０ａから用紙Ｐ２が浮いてしまって、手差し用紙長センサ６４の突出部が用紙Ｐ２に押し下げられず、手差し用紙長センサ６４は用紙を検知しない。この場合、制御部７０は、手差し用紙長センサ６４の検知結果から、用紙長の短い用紙Ｐ１が手差しトレイ６０にセットされていると誤って認識する結果、手差しトレイ６０にセットされている用紙がＡ４横であると誤検出することになる。
【００５５】
ただし、本実施形態の制御部７０は、この用紙Ｐ２が手差しトレイ６０から搬送されることで、レジストローラセンサ７１の検出信号から、その用紙Ｐ２の用紙長がＡ３縦のものであることを把握することができる。よって、制御部７０は、手差し用紙長センサ６４が用紙を検知していない状態で搬送された用紙Ｐ２について、レジストローラセンサ７１の検出信号から特定した用紙長が、手差しトレイ６０の載置面６０ａからはみ出す用紙長の長い用紙Ｐ２の長さである場合、延長トレイ必要状態であると判断して、ユーザーに対して延長トレイ６５を引き出して使用状態に切り替えるように促す警告を報知する。
【００５６】
これにより、その警告を受けてユーザーが延長トレイ６５を引き出して使用状態にすると、Ａ３縦サイズの用紙Ｐ２の後端部分が延長トレイ６５に載置され、垂れ下がることがなくなる。よって、上述した不具合が発生するのを防止できる。
【００５７】
ところで、Ａ４横やＢ５横のような用紙長の短い用紙Ｐ１が手差しトレイ６０にセットされている場合にも、手差し用紙長センサ６４が用紙を検知しない。この場合、レジストローラセンサ７１の検出信号から特定される用紙長が、手差しトレイ６０の載置面６０ａからはみ出す用紙長の長い用紙Ｐ２の長さではないので、制御部７０は、延長トレイ必要状態であると判断しない。よって、Ａ４横やＢ５横のような用紙長の短い用紙Ｐ１が手差しトレイ６０にセットされている場合のように、延長トレイ６５を使用状態にする必要がないときには、上述した警告が報知されることはない。
【００５８】
また、Ａ３縦の用紙Ｐ２が手差しトレイ６０にセットされている場合でも、延長トレイ６５が使用状態になっていれば、手差しトレイ６０の載置面６０ａから用紙Ｐ２が浮い上がることはない。したがって、手差し用紙長センサ６４の検知結果に誤りはないので、制御部７０は、手差しトレイ６０にセットされている用紙はＡ３縦であると適切に検出することができる。
【００５９】
なお、本実施形態において、例えばＡ４縦、特にＢ５縦の用紙Ｐ２が手差しトレイ６０にセットされている場合、延長トレイ６５が収納状態のままであっても、手差しトレイ６０の載置面６０ａからあまり用紙が浮き上がることがなく、手差し用紙長センサ６４が用紙を検知されることがある。この場合、延長トレイ必要状態ではないと判断されて、ユーザーに対して延長トレイ６５を引き出して使用状態に切り替えるように促す警告が報知されない。しかしながら、この場合、手差しトレイ６０の載置面６０ａからはみ出している用紙後端部分が短いので、上述した不具合はあまり問題とならない。すなわち、延長トレイ６５が収納状態のまま用いられても、上述した不具合はあまり問題とならないので、上記警告を報知しなくてもよい。
【００６０】
本実施形態における警告の報知方法は、複写機５００に設けられている操作パネル１０８に、「延長トレイを引き出してください」あるいは「延長トレイを使用してください」というような文章を表示させる方法を用いているが、これに限られない。例えば、このような表示に代えて、又は、このような表示とともに、「延長トレイを引き出してください」あるいは「延長トレイを使用してください」の旨を音声でアナウンスするような報知方法を採用してもよい。
【００６１】
また、本実施形態において、制御部７０は、手差し用紙長センサ６４が用紙を検知していない状態で搬送された１枚目の用紙Ｐ２について、レジストローラセンサ７１の検出信号から特定した用紙長が、手差しトレイ６０の載置面６０ａからはみ出す用紙長の長い用紙Ｐ２の長さである延長トレイ必要状態であると判断された時点で、上記警告を報知している。これに代えて、制御部７０は、延長トレイ必要状態であることが連続して判断された用紙枚数が規定枚数に達することを条件に、上記警告を報知するようにしてもよい。例えば、延長トレイ必要状態であることが連続して判断された用紙枚数が３枚に達したときに、上記警告を報知するようにしてもよい。用紙の重送や連れ送り等が発生した場合、レジストローラセンサ７１の検出信号から特定される用紙長が、実際に搬送された用紙の用紙長よりも長く誤算出されることがある。このような誤算出が生じた場合、Ａ４横やＢ５横のように用紙長の短い用紙Ｐ１が手差しトレイにセットされているとき（延長トレイ６５が必要ないケース）に、これを延長トレイ必要状態であると誤判断する結果をまねき、上記警告が誤って報知される。上述した規定枚数を複数枚に設定しておけば、このような誤算出が生じても、上記警告が誤って報知される可能性が低くなる。
【００６２】
上記規定枚数は、所定の設定条件に従って変更できるように構成するのが好ましい。手差しトレイ６０にセットされる用紙の種類によっては  例えば分離性の良い用紙であれば重送や連れ送りがほとんど発生しないため、１枚目の用紙について延長トレイ必要状態であると判断された時点で上記警告を報知しても誤報知は少ない。一方、コート紙、耐水ペーパー、ＯＨＰシートなどの紙間の密着力が大きな用紙を手差しトレイ６０にセットした場合には、重送や連れ送りが発生しやすいため、上記規定枚数を２枚以上に設定し、延長トレイ必要状態であると連続して判断された用紙枚数が２枚以上の規定枚数に達した時点で上記警告を報知するのがよい。同様に、低温低湿環境においては、紙間に静電気が発生して紙間の密着力が大きくなり、重送や連れ送りが発生しやすいので、上記規定枚数を２枚以上に設定するのがよい。
【００６３】
以上、本実施形態においては、本発明に係るシート搬送装置を、複写機５００の手差しトレイ６０から用紙Ｐを搬送する場合に適用した例であったが、例えば、複写機５００のＡＤＦ５１における原稿載置台５３から原稿を搬送する場合に適用することもできる。
【００６４】
以上に説明したものは一例であり、本発明は、次の態様毎に特有の効果を奏する。
（態様Ａ）
用紙Ｐ等のシート材を載置可能な載置面６０ａを備えた手差しトレイ６０等のシート載置部と、上記シート載置部のシート搬送方向上流側端部から延出して、該シート載置部の載置面からシート搬送方向上流側へはみ出したシート材後端部分を載置する使用状態等の延出状態と、該シート材後端部分を載置しない収納状態等の非延出状態とを切り替え可能な延長トレイ６５等の延長載置部と、上記シート載置部に載置されているシート材を、本体側給紙路３７等の搬送経路を経由して所定の搬送先へ搬送するピックアップローラ６１やレジストローラ対３３等のシート搬送手段とを備えたシート搬送装置において、上記シート載置部の載置面上におけるシート搬送方向上流端部付近にシート材の下面が接触又は近接しているか否かを検知する手差し用紙長センサ６４等の第１シート長検知手段と、上記シート搬送手段によって搬送されたシート材のシート搬送方向長さを検知する制御部７０及びレジストローラセンサ７１等の第２シート長検知手段と、上記第１シート長検知手段が接触又は近接を検知していない状態で搬送されたシート材のシート搬送方向長さの上記第２シート長検知手段による検知結果が、上記シート載置部の載置面上に載置されたシート材の後端部分が該載置面のシート搬送方向上流側へはみ出す長さである場合、延長トレイ必要状態等の延長載置部必要状態であると判断して、上記延長載置部を上記非延出状態から上記延出状態へ切り替えるように促す警告を報知する報知処理を実行する制御部７０等の報知処理手段とを有することを特徴とする。
これによれば、延長載置部必要状態を適切に判断して適切に報知処理を実行することができる。
【００６５】
（態様Ｂ）
上記態様Ａにおいて、上記第１シート長検知手段は、上記シート載置部の載置面上におけるシート搬送方向上流端部付近で該載置面上に進退可能に突出する突出部と、該突出部が載置面下に向けて押し下げられたか否かを検知する押下検知部とから構成されているメカニカルスイッチ等であることを特徴とする。
これによれば、第１シート長検知手段を簡易に実現できる。
【００６６】
（態様Ｃ）
上記態様Ａ又はＢにおいて、上記第２シート長検知手段は、上記搬送経路上の１箇所又は２箇所以上でシート材の先端又は後端の通過を検知するレジストローラセンサ７１等の通過検知部と、該通過検知部が通過を検知したタイミングに基づいて該搬送経路を搬送されているシート材のシート搬送方向長さを算出する制御部７０等のシート長算出部とから構成されていることを特徴とする。
これによれば、既存装置に設けられている通過検知部を利用して第１シート長検知手段を簡易に実現できる。
【００６７】
（態様Ｄ）
上記態様Ａ〜Ｃのいずれかの態様において、上記シート載置部の載置面上に載置されたシート材のシート搬送方向に対して直交するシート幅方向の長さを検知する用紙幅センサ６９等のシート幅検知手段と、上記第１シート長検知手段の検知結果と上記シート幅検知手段の検知結果とから、上記シート載置部の載置面上に載置されているシート材のサイズが、予め決められた複数種類のサイズのいずれのサイズであるかを判別する制御部７０等のシートサイズ判別手段とを有し、上記報知処理手段は、上記第２シート長検知手段により検知したシート材のシート搬送方向長さが、上記シートサイズ判別手段が判別したサイズのシート搬送方向長さよりも長い場合に、上記延長載置部必要状態であると判断することを特徴とする。
これによれば、延長載置部必要状態であるか否かをより適切に判断することが可能である。
【００６８】
（態様Ｅ）
上記態様Ａ〜Ｄのいずれかの態様において、上記報知処理手段は、連続して搬送される複数のシート材について上記延長載置部必要状態であることを判断することを条件に、上記報知処理を実行することを特徴とする。
これによれば、用紙の重送や連れ送り等が発生して上記第２シート長検知手段の検知結果に誤りが生じた場合でも、上記報知処理が誤って実行される可能性を低くすることができる。
【００６９】
（態様Ｆ）
上記態様Ａ〜Ｅのいずれかの態様において、上記報知処理手段は、上記延長載置部必要状態であることが連続して判断されるシート材の枚数が規定枚数に達することを条件に、上記報知処理を実行するものであり、所定の設定条件に従って、上記規定枚数を変更する制御部７０等の規定枚数変更手段を有することを特徴とする。
これによれば、用紙の種類や使用環境などに応じた適切な規定枚数を設定することが可能となるので上記報知処理が誤って実行される可能性を更に低くすることができる。
【００７０】
（態様Ｇ）
上記態様Ａ〜Ｆのいずれかの態様において、上記報知処理手段が実行する報知処理は、上記延長載置部を上記非延出状態から上記延出状態へ切り替えるように促す警告画面を表示手段に表示させる処理及び音出力手段から警告音を出力する処理の少なくとも一方であることを特徴とする。
これによれば、その警告を受けたユーザーが延長載置部を延出状態にすることを期待でき、上述した不具合が発生するのを防止できる。この場合、延長載置部を非延出状態から延出状態へ切り替えるための駆動機構や制御機構を設ける必要がないので、低コストである。
【００７１】
（態様Ｈ）
シート搬送装置によって搬送されるシート材に画像を形成する画像形成装置において、上記シート搬送装置として、上記態様Ａ〜Ｇのいずれかの態様に係るシート搬送装置を用いたことを特徴とする。
これによれば、延長載置部必要状態のままシート材の搬送が継続されることが抑制できる結果、上述した不具合の発生を抑制しつつ、適切な画像形成動作を実現できる。
【００７２】
（態様Ｉ）
シート搬送装置によって搬送されるシート材上の画像を読み取る画像読取装置において、上記シート搬送装置として、上記態様Ａ〜Ｇのいずれかの態様に係るシート搬送装置を用いたことを特徴とする。
これによれば、延長載置部必要状態のままシート材の搬送が継続されることが抑制できる結果、上述した不具合の発生を抑制しつつ、適切な画像読取動作を実現できる。
【符号の説明】
【００７３】
１  画像形成部
６０  手差しトレイ
６０ａ  載置面
６１  ピックアップローラ
６２  分離給送手段
６３Ａ，６３Ｂ  サイドフェンス
６４  手差し用紙長センサ
６５  延長トレイ
６９  用紙幅センサ
７０  制御部
７１  レジストローラセンサ
１０８  操作パネル
５００  複写機
【先行技術文献】
【特許文献】
【００７４】
【特許文献１】特開平３−１２４６４９号公報
【図１】
2014177336.tif 000003
【図２】
2014177336.tif 000004
【図３】
2014177336.tif 000005
【図４】
2014177336.tif 000006
【図５】
2014177336.tif 000007
【図６】
2014177336.tif 000008
【図７】
2014177336.tif 000009
【図８】
2014177336.tif 000010
【図９】
2014177336.tif 000011
【図１０】
2014177336.tif 000012
【図１１】
2014177336.tif 000013